(57)【要約】  携帯端末装置に装着されたメモリカードやＩＣ機能付きメモリカードを取り外した際に、ユーザの直感的な操作で自装置及びメモリカードの少なくとも一方の機能を簡単にロックする携帯端末システム。この携帯端末システム(100)は、メモリカード(300)と、メモリカード(300)が着脱自在に装着される携帯端末(200)とを有する。携帯端末(200)は、ユーザにより押圧される押圧部(202)の長押し状態を長押し検知部(204)で検知し、スロット部(206)に挿抜自在に装着されるメモリカード(300)の挿抜をカード挿抜検知部(208)で検知する。ロック実行部(218)は、自端末(200)及びメモリカード(300)のうち少なくとも一方の機能をロックまたはアンロックする。携帯端末(200)は、端末制御部(220)を介して、押圧部(202)の長押し状態中にメモリカード(300)がスロット部(206)から挿抜される場合に、ロック実行部(218)を用いて少なくとも一方の機能をロックまたはアンロックさせる。
2008038355.tif 000002
【特許請求の範囲】
【請求項１】
メモリカードと、前記メモリカードが着脱自在に装着される携帯端末装置とを有する携帯端末システムにおいて、
前記携帯端末装置は、
ユーザにより押圧される押圧部と、
前記押圧部の長押し状態を検知する長押し検知手段と、
前記メモリカードが挿抜自在に装着されるカード装着手段と、
前記カード装着手段に対する前記メモリカードの挿抜を検知する挿抜検知手段と、
自装置及び前記メモリカードのうち少なくとも一方の機能をロックまたはアンロックするロック手段と、
前記長押し検知手段及び挿抜検知手段から検知情報が入力され、前記押圧部の長押し状態中に前記メモリカードが前記カード装着手段から挿抜される場合に、前記ロック手段を用いて前記少なくとも一方の機能をロックまたはアンロックさせる制御手段と、
を有する携帯端末システム。
【請求項２】
前記メモリカード及び前記携帯端末装置のそれぞれには、前記メモリカードを識別するＩＤを記憶するＩＤ記憶手段が設けられ、
前記メモリカード及び前記携帯端末装置の一方には、前記押圧部の長押し状態中に前記メモリカードが前記携帯端末装置の前記カード装着手段に挿入された際に前記メモリカード及び前記携帯端末装置の双方が保有するＩＤを比較するＩＤ比較手段が設けられ、
前記制御手段は、前記押圧部の長押し状態中に前記メモリカードが前記カード装着手段から抜き出される場合に、前記ロック手段を介して前記機能をロックし、
前記押圧部の長押し状態中に前記メモリカードが前記カード装着手段に挿入される場合で、且つ、前記ＩＤ比較手段で比較される両ＩＤが一致したときのみ前記ロック手段によりロックした前記機能をアンロックさせる請求項１記載の携帯端末システム。
【請求項３】
前記携帯端末装置は、前記ロック手段によりロックまたはアンロックの対象となる自装置及び前記メモリカードのうち少なくとも一方の機能を設定させるロック対象設定手段を有する請求項１記載の携帯端末システム。
【請求項４】
メモリカードが着脱自在に装着される携帯端末装置において、
ユーザにより押圧される押圧部と、
前記押圧部の長押し状態を検知する長押し検知手段と、
前記メモリカードが挿抜自在に装着されるカード装着手段と、
前記カード装着手段に対する前記メモリカードの挿抜を検知する挿抜検知手段と、
自装置及び前記メモリカードのうち少なくとも一方の機能をロックまたはアンロックするロック手段と、
前記長押し検知手段及び挿抜検知手段から検知情報が入力され、前記押圧部の長押し状態中に前記メモリカードが前記カード装着手段から挿抜される場合に、前記ロック手段を用いて前記少なくとも一方の機能をロックまたはアンロックさせる制御手段と、
を有する携帯端末装置。
【請求項５】
前記メモリカードは、当該メモリカードを識別するＩＤを有してなり、
前記メモリカードの有するＩＤが記憶されるＩＤ記憶手段と、
装着された前記メモリカードから前記ＩＤを読み出すＩＤ読み出し手段とを有し、
前記制御手段は、前記ＩＤ記憶手段に記憶されたＩＤと前記ＩＤ読み出し手段により読み出した前記メモリカードからのＩＤとを比較するＩＤ比較部を備え、
前記押圧部の長押し状態中に前記メモリカードが前記カード装着手段から抜き出される場合に前記ロック手段を介して前記機能をロックし、
前記押圧部の長押し状態中に前記メモリカードが前記カード装着手段に挿入される場合に前記ＩＤ比較部によりＩＤを比較して、両ＩＤが一致したときのみ前記ロック手段によりロックした前記機能をアンロックする請求項４記載の携帯端末装置。
【請求項６】
前記制御手段により制御され、前記メモリカードに前記ＩＤを書き込むＩＤ書込手段を有し、
前記メモリカードの有するＩＤは、前記押圧部の長押し状態中に前記メモリカードが前記カード装着手段に挿入された際に前記ＩＤ書込手段により書き込まれたものであり、
前記ＩＤ記憶手段には、前記制御手段によって前記ＩＤ書込手段を介して前記メモリカードに書き込んだＩＤと同一のＩＤが記憶される請求項５記載の携帯端末装置。
【請求項７】
前記ロック手段によってロックまたはアンロックの対象となる自装置及び前記メモリカードのうち少なくとも一方の機能を設定するロック対象設定手段を有する請求項１記載の携帯端末装置。
【請求項８】
メモリカードと、前記メモリカードが着脱自在に装着される携帯端末装置とを有する携帯端末システムにおけるロック方法であって、
前記携帯端末装置は、ユーザにより押圧される押圧部を有し、
前記押圧部の長押し状態を検知するとともに前記携帯端末装置に対する前記メモリカードの挿抜を検知するステップと、
前記押圧部の長押し状態中に前記メモリカードが前記携帯端末装置から挿抜される場合に、自装置及び前記メモリカードのうち少なくとも一方の機能をロックまたはアンロックするステップとを有する機能ロック方法。
【発明の詳細な説明】
【技術分野】
【０００１】
本発明は、ＩＣ機能付きメモリカードを含むメモリカードを装着可能な携帯端末装置を有する携帯端末システム、携帯端末装置及び機能ロック方法に関する。
【背景技術】
【０００２】
ＰＨＳ（Personal Handyphone System）や、ＧＳＭ（Global System for Mobile Communications）、ＩＭＴ−２０００（International Mobile Telecommunication 2000）、Ｗ−ＣＤＭＡ（Wideband Code Division Multiple Access）等を用いた携帯電話システムにおける携帯電話無線端末（「携帯端末」という）では、着脱可能なメモリカードを装着して、ユーザ情報や、無線回線を経由してダウンロードしたデータや、端末に搭載されたメモリに記憶するデータなどを記録できるものが知られている。また、携帯電話システムの携帯端末として、ＧＳＭのＳＩＭ（Subscriber Identity Module）や、ＩＭＴ−２０００やＷ−ＣＤＭＡのＵＩＭ（User Identity Module）等の機能を含むＩＣ機能付きメモリカードを着脱可能に装着するものが知られている。【０００３】
これらメモリカードやＩＣ機能付きメモリカードが装着可能な携帯端末では、メモリカードやＩＣ機能付きメモリカードの取り外しについては特に制限がない。このため、メモリカードやＩＣ機能付きメモリカードが取り外された端末自体は、放置、紛失などによってユーザの手から離れた場合、不正利用される恐れがある。また、同様に、端末から取り外したメモリカードやＩＣ機能付きメモリカードも、放置、紛失などによってユーザの手から離れた場合、内部に記憶されている情報が別の読取装置等により不正に読み取られる恐れがある。【０００４】
これらに対して携帯端末の機能をロックする、又はメモリカードの機能をロックする様々な対応が考えられている。【０００５】
例えば、端末側の機能制限として、例えば、特許文献１では、外部装置の操作部を用いて、携帯電話機のダイヤルロックを行っている。また、特許文献２では、ＵＩＭカードを装着可能な携帯電話が開示され、ＵＩＭカードを携帯電話のソケットに挿入すると、携帯電話が使用可能（アンロック）となるように構成している。さらに、特許文献３には、無線端末に装着されるカード側をロックする技術が開示されている。特許文献３の無線端末では、ユーザがＩＣカード２の取り外しを要求する場合には、取外し認証処理部にてユーザの認証を行う。認証ＯＫとならない限り、ＩＣカードをロックし、その状態でＩＣカード２が無線端末１から取り外された場合、ＩＣカードにてＩＣカード制御部が、メモリ部に記憶されていた情報の内容を見ることができないようにしている。
【特許文献１】特許３０２２８３２号公報
【特許文献２】特許３５７６９７７号公報
【特許文献３】特開２００２−９９２１号公報
【発明の開示】
【発明が解決しようとする課題】
【０００６】
ところで、メモリカードやＩＣ機能付きメモリカードを装着可能な携帯端末において、メモリカードやＩＣ機能付きメモリカードを端末から取り外す際に、両者の少なくとも一方の機能を簡単な操作でロックしたいという要望がある。【０００７】
これに対して、特許文献１の技術を用いて実現しようとしても、装着されるＩＣカードを外部装置として、ＩＣカード側に操作部としてのボタンを設ける必要があるため実現できない。【０００８】
また、特許文献２では、ロック有無を携帯端末の設定画面等で設定するため、手間がかかり、さらに、特許文献３では、カードを抜く前に認証操作が発生するため、手間がかかるものとなっている。【０００９】
本発明の目的は、携帯端末装置に装着されたメモリカードやＩＣ機能付きメモリカードを取り外した際に、ユーザの直感的な操作で自装置及びメモリカードの少なくとも一方の機能を簡単にロックする携帯端末システム、携帯端末装置及び機能ロック方法を提供することである。
【課題を解決するための手段】
【００１０】
本発明の携帯端末システムは、メモリカードと、前記メモリカードが着脱自在に装着される携帯端末装置とを有する携帯端末システムにおいて、前記携帯端末装置は、ユーザにより押圧される押圧部と、前記押圧部の長押し状態を検知する長押し検知手段と、前記メモリカードが挿抜自在に装着されるカード装着手段と、前記カード装着手段に対する前記メモリカードの挿抜を検知する挿抜検知手段と、自装置及び前記メモリカードのうち少なくとも一方の機能をロックまたはアンロックするロック手段と、前記長押し検知手段及び挿抜検知手段から検知情報が入力され、前記押圧部の長押し状態中に前記メモリカードが前記カード装着手段から挿抜される場合に、前記ロック手段を用いて前記少なくとも一方の機能をロックまたはアンロックさせる制御手段とを有する構成を採る。【００１１】
この構成によれば、押圧部の長押し状態中に、メモリカードが挿抜される際に、自装置及びメモリカードの少なくとも一方の機能をロックまたはアンロックさせるため、ユーザは、押圧部を長押ししながらメモリカードを挿抜するといった直感的な操作で、簡単に自装置及びメモリカードの少なくとも一方の機能をロックしたりアンロックしたりすることができる。
【発明の効果】
【００１２】
以上説明したように、本発明によれば、携帯端末装置に装着されたメモリカードやＩＣ機能付きメモリカードを取り外した際に、ユーザの直感的な操作で自装置及びメモリカードの少なくとも一方の機能を簡単にロックすることができる。
【図面の簡単な説明】
【００１３】
【図１】本発明の一実施の形態に係る携帯端末システムの構成を示すブロック図
【図２】本発明の一実施の形態に係る携帯端末システムにおいて、携帯端末の機能をロックする際の処理を説明するシーケンス図
【図３Ａ】端末機能のロック処理におけるＩＤ登録を説明する図であり、携帯端末に装着されるメモリカードが予め当該メモリカードを識別するＩＤを有する場合の概念図
【図３Ｂ】端末機能のロック処理におけるＩＤ登録を説明する図であり、携帯端末に装着されるメモリカードがＩＤを有していない場合の概念図
【図４】端末機能のロック処理が行われる携帯端末を説明する概念図
【図５】端末機能のアンロック処理が行われる携帯端末を説明する概念図
【図６】本発明の一実施の形態に係る携帯端末システムにおいて、メモリカードをロックする際の処理を説明するシーケンス図
【図７】メモリカードのロック処理におけるＩＤ登録を説明する概念図
【図８】メモリカードのロック処理においてロック段階を説明する概念図
【図９】メモリカードのロック処理においてアンロック段階を説明する概念図
【図１０Ａ】本発明の実施の形態に係る携帯端末システムにおいてメモリカード機能のロック段階を説明する概念図
【図１０Ｂ】本発明の実施の形態に係る携帯端末システムにおいてメモリカード機能のアンロック段階を説明する概念図
【発明を実施するための最良の形態】
【００１４】
以下、本発明の実施の形態について、図面を参照して詳細に説明する。【００１５】
図１は、本発明の一実施の形態に係る携帯端末システム１００の構成を示すブロック図である。【００１６】
携帯端末システム１００は、本発明の携帯端末２００と、携帯端末２００に装着可能なメモリカード３００とを有する。【００１７】
携帯端末２００は携帯電話機等であり、特定ボタン等の押圧部２０２と、長押し検知部２０４と、スロット部２０６と、カード挿抜検知部２０８と、端末ＩＦ部２１０と、ＩＤ記憶部２１２と、ＩＤ読み書き部２１４と、ロック対象設定部２１６と、ロック実行部２１８と、端末制御部２２０とを有する。【００１８】
押圧部２０２は、ユーザにより押圧可能に携帯端末２００の本体部２００ａ（図３参照）に取り付けられた特定ボタンなどによって構成され、例えば、携帯端末２００の各種機能を操作する図示しないキー入力部の一部として配置されてもよい。押圧部２０２によりユーザは、短い時間押圧する「短押し」操作や所定時間（例えば１秒間）以上押圧する「長押し」操作を行うことができる。【００１９】
なお、押圧部２０２は、一つのボタンで構成してもよいし、複数のボタンで構成してもよい。本実施の形態では図３に示すように、押圧部２０２を一つの特定ボタンとして説明している。押圧部を複数のボタンで構成する場合、同時に複数のボタンを長押しすることによって、端末制御部は、ＩＤの登録、ロックアンロックを行うように構成することが考えられる。【００２０】
長押し検知部２０４は、タイマを有しており、タイマを用いて、押圧部２０２（例えば、特定ボタン）が所定時間（例えば、１秒間）押圧された際に押圧部２０２が長押し状態であることを検知して、その信号を端末制御部２２０に出力する。【００２１】
スロット部（カード装着部）２０６は、携帯端末２００の本体部２００ａ（図３参照）に設けられ、メモリカード３００が着脱自在に挿入される。スロット部２０６にメモリカード３００が挿入されることにより、端末ＩＦ部２１０とカードＩＦ部３０２とが接続されて、携帯端末２００にメモリカード３００が装着された状態となる。【００２２】
カード挿抜検知部２０８は、スロット部２０６に挿入されるメモリカード３００の挿抜状態を検知し、端末制御部２２０に出力する。【００２３】
端末ＩＦ（Inter Face）部２１０は、スロット部２０６に装着されたメモリカード３００のカードＩＦ部３０２に接続され、これにより携帯端末２００はメモリカード３００との間で情報の読み書きを行うことができる。【００２４】
ＩＤ記憶部２１２は、スロット部２０６を介して携帯端末２００に装着されるメモリカード３００を識別するＩＤを記憶するものであり、記憶するＩＤは、端末制御部２２０によって読み書きされる。なお、このＩＤ記憶部２１２には、メモリカードがＩＤを予め保有していない場合に、端末制御部２２０から読み出されてＩＤ読み書き部２１４を介してメモリカード３００に書き込まれるＩＤが保存されていてもよい。【００２５】
ＩＤ読み書き部２１４は、端末制御部２２０からの指示によって、カードＩＦ部３０２に接続される端末ＩＦ部２１０を介して、メモリカード３００のカード側ＩＤ記憶部３０４に対して、ＩＤの書き込み及びＩＤの読み出しを行う。このＩＤ読み書き部２１４と端末制御部２２０の処理により携帯端末２００及びメモリカード３００は、メモリカード３００を識別するＩＤを保有することとなる。【００２６】
なお、ＩＤ読み書き部２１４によりメモリカード３００に書き込まれるＩＤは、端末制御部２２０を介して、ＩＤ記憶部２１２からＩＤを読み出して、メモリカード３００のカード側ＩＤ記憶部３０４に書き込んだりしてもよい。【００２７】
ロック対象設定部２１６は、携帯端末２００からメモリカード３００を抜き出した場合に、携帯端末２００及びメモリカード３００のうち少なくとも一方に対してロックする機能を設定し、端末制御部２２０に出力する。ロック対象となる機能としては、携帯端末２００のダイヤル、電源、着信通話、メモリカード間の情報の読み書き処理、その他機能や、メモリカード自体の記憶機能等が挙げられる。ロック対象設定部２１６は、例えば、ロックする各機能を図示しない携帯端末２００の表示部に表示して、キー入力部を介して表示部上からユーザに選択させて端末制御部２２０に制御させる構成を有してもよい。このロック対象設定部２１６によって、ユーザにロック対象となる携帯端末２００、メモリカード３００の機能を選択させることができ、任意の機能をロックさせることができる。【００２８】
また、携帯端末２００に装着されるメモリカード３００に代えてＩＣ機能付きメモリカードである場合、ＩＣ機能付きメモリカード内の部分的な機能（例えば、セキュアエリアへの読み書きなど）をロックする。【００２９】
ロック実行部２１８は、端末制御部２２０からの指示またはメモリカード３００からの要求により、携帯端末２００自体の機能、メモリカードにおける記憶に関する全体及び部分的な機能等に対するロック処理及びアンロック処理を行う。なお、このロック実行部２１８によりロック、アンロックされる機能は、ここでは、ロック対象設定部２１６により設定された機能である。【００３０】
具体的には、携帯端末２００に装着されるメモリカード３００がＩＣ機能を有しない場合、ロック実行部２１８は、端末制御部２２０からロック対象設定部２１６により設定された対象機能をロック、アンロックする指示が入力される。【００３１】
端末制御部２２０は、ＣＰＵ、ＲＡＭ、ＲＯＭ等を有して、長押し検知部２０４、カード挿抜検知部２０８、ＩＤ記憶部２１２、ＩＤ読み書き部２１４、ロック対象設定部２１６、ロック実行部２１８に接続され、これら各部を制御する。なお、端末制御部２２０は、各ソフトウェア処理により携帯電話などの無線端末としての動作を実現すべく各部を総括制御するものでもよい。【００３２】
端末制御部２２０は、ロック対象設定部２１６により設定されたロック対象機能が入力される。【００３３】
また、端末制御部２２０は、押圧部（以下、「特定ボタン」という）２０２の長押し中に、スロット部２０６にメモリカード３００が挿入された場合、挿入されたメモリカード３００とＩＤを共有する。【００３４】
ＩＤの共有は、挿入されるメモリカード３００がカード自体を識別するＩＤを有しているか否かで、端末制御部２２０の処理は異なる。【００３５】
端末制御部２２０は、長押し検知部２０４から入力される長押し情報と、カード挿抜検知部２０８から入力されるカード挿抜情報により、特定ボタンが長押し状態で、且つ、カード挿入状態である場合、ＩＤ読み書き部２１４を介して、メモリカード３００からＩＤが読み取れたか否かを判定する。【００３６】
端末制御部２２０は、特定ボタン２０２の長押し中にスロット部２０６にメモリカード３００が挿入されている際に、メモリカード３００からＩＤを読み取れなかった場合、ＩＤ読み書き部２１４によりカード側ＩＤ記憶部３０４にＩＤを書き込む。これにより、メモリカード３００のカード側ＩＤ記憶部３０４にＩＤが記憶され、メモリカード３００にＩＤが登録される。なお、メモリカード３００のカード側ＩＤ記憶部３０４に記憶されたＩＤは、ＩＤ記憶部２１２内のＩＤに関連付けられる。【００３７】
また、端末制御部２２０は、特定ボタン２０２の長押し中にスロット部２０６にメモリカードが挿入された際にＩＤ読み書き部２１４を介してメモリカード３００からＩＤを読み取った場合、読み取ったＩＤをＩＤ記憶部２１２に記憶する。これにより、携帯端末２００は、ＩＤ記憶部２１２にメモリカード３００を識別するＩＤとして登録する。【００３８】
なお、端末制御部２２０は、長押し検知部２０４から入力される長押し情報と、カード挿抜検知部２０８から入力されるカード挿抜情報により、特定ボタン２０２を押さずにカード３００が挿入された場合、メモリカード３００とＩＤの共有は行なわない。【００３９】
また、端末制御部２２０は、特定ボタン２０２の長押し中に、スロット部２０６からメモリカード３００が抜き出される場合、ロック対象設定部２１６で設定された対象機能に対して、ロック実行部２１８を介してロック、アンロック処理を行う。【００４０】
詳細には、端末制御部２２０は、長押し検知部２０４から入力される長押し情報と、カード挿抜検知部２０８から入力されるカード挿抜情報により、特定ボタンが長押し状態で、且つ、スロット部２０６からメモリカード３００が抜き出される場合、ロック実行部２１８を介して、ロック対象設定部２１６で設定された機能をロックする。【００４１】
ロック対象設定部２１６でロック対象として設定された機能が携帯端末側の機能である場合、端末制御部２２０は、ロック実行部２１８を介して、携帯端末２００において対応する機能を実行する構成要素の機能を停止させる。【００４２】
この端末制御部２２０は、長押し検知部２０４から入力される長押し情報と、カード挿抜検知部２０８から入力されるカード挿抜情報により、特定ボタン２０２が長押し状態で、且つ、スロット部２０６からメモリカードが挿入された場合、メモリカード３００からのＩＤとＩＤ記憶部２１２のＩＤとを比較するＩＤ比較部２２２を有する。【００４３】
ＩＤ比較部２２２によって比較されるＩＤが一致する場合、端末制御部２２０は、ロック実行部２１８を介してロックされている機能をアンロックする。【００４４】
一方、このように構成される携帯端末２００に装着されるメモリカード３００は、ＩＣ機能付きメモリカードであり、カードＩＦ部３０２と、カード側ＩＤ記憶部３０４と、通常メモリ部３０６と、カード制御部３０８とを有する。【００４５】
カードＩＦ（Inter Face）部３０２は、メモリカード自体がスロット部２０６に装着された場合に、端末ＩＦ部２１０に接続され、端末ＩＦ部２１０とともに、携帯端末２００とメモリカード３００間のデータのやりとりを可能にする。【００４６】
カード側ＩＤ記憶部３０４は、メモリカード３００を識別するＩＤを記憶するものであり、予め保有していたり、また、装着される携帯端末２００により書き込まれたりすることによりＩＤを記憶する。これによりメモリカード３００にメモリカード自体を識別するＩＤが登録された状態となる。【００４７】
通常メモリ部３０６は、携帯端末２００にメモリカード３００が装着された際に、携帯端末２００の動作によって、ユーザ情報や、無線回線を経由してダウンロードしたデータや、端末に搭載されたメモリに記憶するデータなどを記録する。【００４８】
カード制御部３０８は、カードＩＦ部３０２、カード側ＩＤ記憶部３０４及び通常メモリ部３０６に接続され、これらを制御する。【００４９】
カード制御部３０８は、ここでは、カード側ＩＤ記憶部３０４に記憶されたＩＤと、装着された携帯端末２００から入力されるＩＤとを比較するカード側ＩＤ比較部３１０を有する。【００５０】
カード側ＩＤ比較部３１０は、入力されるＩＤとカード側ＩＤ記憶部３０４により記憶されるＩＤとが一致する場合、カードＩＦ部３０２を介して、装着される携帯端末２００に対する通常メモリ部３０６のロック及びアンロックを行う。また、メモリカード３００にセキュアエリアなどを有する場合等、メモリカード３００において部分的に機能をロックする場合、カード側ＩＤ比較部３１０は、メモリカード３００の機能を部分的にロックして、装着される装置からの読み出しや書き込みを禁止する。【００５１】
なお、メモリカード３００は、ＩＣ機能付きメモリカードとしたが、ＩＣ機能の無いメモリカード、つまり、カード制御部３０８を具備せず、カードＩＦ部３０２、カード側ＩＤ記憶部３０４及び通常メモリ部３０６を有するメモリカードとしてもよい。【００５２】
次いで、上記構成を有する携帯端末システム１００の動作について説明する。
携帯端末システム１００では、携帯端末２００における特定ボタン２０２の長押し中にメモリカード３００を抜き差しすることによって、長押し中以外の状態でメモリカード３００を抜き差しする場合と比較して、携帯端末２００及びメモリカード３００の少なくとも一方で有する機能の切換を行う。【００５３】
具体的には、携帯端末システム１００では、特定ボタン２０２の長押し中においてメモリカード３００を抜き差しすることによって、携帯端末の機能のロック、メモリカードのロック、メモリカード機能のロックを行う。【００５４】
＜端末機能のロック＞
図２は、本発明の一実施の形態に係る携帯端末システム１００において、携帯端末２００の機能をロックする際の処理を説明するシーケンス図である。【００５５】
なお、この端末機能のロック処理の説明にあたり、携帯端末２００に装着されるメモリカード３００は、予めＩＤを有していてもよいし、無くてもよい。また、メモリカード３００は、カード制御部を備えるメモリカードでもよいし、カード制御部の無いメモリカードであってもよい。【００５６】
端末機能ロック処理を行うにあたり、まず、携帯端末２００と、当該携帯端末２００に装着されるメモリカード３００とに対して登録を行う。また、携帯端末２００のロック対象設定部２１６において、ロックする端末機能（例えば、電源、キーなど）を設定する。【００５７】
○登録段階
図２に示すように、アンロック状態で且つメモリカード未装着の携帯端末２００に対し、一旦、装着したメモリカード３００を抜き出した際に携帯端末２００の端末機能をロックしたい場合、ユーザは、特定ボタンを長押しして（ＵＳ１）、メモリカード３００を挿入する（ＵＳ２）。【００５８】
するとステップＳ１において、携帯端末２００は、ボタン長押しを検知した状態でカード挿入を検知してメモリカード３００にＩＤを出力する。【００５９】
このとき、携帯端末２００側において、端末制御部２２０は、メモリカード３００に登録したＩＤと同じＩＤを記憶（登録）する。なお、このＩＤの登録は、メモリカード３００を装着する際の最初に行うのみであるため、特定ボタンの長押しを用いることなく、携帯端末２００の図示しない表示画面から設定する構成としても良い。【００６０】
この登録段階における携帯端末システム１００の処理について詳細に説明する。【００６１】
ユーザにより特定ボタンが所定時間押圧されると、携帯端末２００では、長押し検知部２０４が、所定時間（例えば１秒以上）の押圧状態を長押し状態として検知し、長押し状態を示す長押し状態情報を端末制御部２２０に出力する。また、カード挿抜検知部２０８がスロット部２０６へのメモリカード３００の挿入を検知して端末制御部２２０に、カード挿入を示すカード挿入情報を出力する。【００６２】
ステップＳ１では、入力される情報を用いて、端末制御部２２０は、長押し状態情報が入力されている間に、カード挿入情報が入力される場合、ＩＤ読み書き部２１４を介して、メモリカード３００のカード側ＩＤ記憶部３０４にＩＤを書き込む。つまり、ＩＤは携帯端末２００からメモリカード３００に出力されて、ステップＳ２において、メモリカード３００は、入力されるＩＤをカード側ＩＤ記憶部３０４に記録することになる。なお、ＩＤをメモリカード３００に出力する際、端末制御部２２０は、携帯端末２００のＩＤ記憶部２１２に、メモリカード３００のカード側ＩＤ記憶部３０４に書き込んだＩＤと同じ、当該メモリカード３００を識別するＩＤを記憶する。【００６３】
図３は、端末機能のロック処理におけるＩＤ登録を説明する図であり、図３Ａは、携帯端末２００に装着されるメモリカード３００が予め当該メモリカード３００を識別するＩＤを有する場合を説明する図、図３Ｂは、同メモリカード３００がＩＤを有していない場合を説明するための図である。【００６４】
図３Ａで示すように、特定ボタン長押し中に、ＩＤ付きのメモリカード３００が携帯端末２００のスロット部２０６に挿入された場合、携帯端末２００では、メモリカード３００挿入でメモリカード３００の保有するＩＤが携帯端末２００に記憶される。【００６５】
また、図３Ｂに示すように、特定ボタン長押し中に、ＩＤ無しのメモリカード３００が携帯端末２００のスロット部２０６に挿入された場合、携帯端末２００からＩＤメモリカード３００にＩＤが記憶される。【００６６】
この登録段階において、特定ボタン２０２を押さずにメモリカード３００が携帯端末２００に装着されると、ＩＤは携帯端末２００やメモリカード３００に登録されない。【００６７】
これにより携帯端末２００における端末機能のロック処理における登録段階は完了する。【００６８】
○ロック／アンロック段階
図２に戻り、端末機能のロック処理におけるロック段階では、ユーザは特定ボタン２０２（図１及び図３参照）を長押し（ＵＳ３）しながら、メモリカード３００を携帯端末２００から抜き出す（ＵＳ４）。【００６９】
すると、ステップＳ３では、携帯端末２００は、特定ボタン長押しを検知した状態でメモリカード３００の抜き出しを検知した場合、携帯端末２００の端末機能をロックする。【００７０】
詳細には、ユーザにより特定ボタン２０２が所定時間押圧されると、携帯端末２００では、所定時間（例えば１秒以上）の押圧状態を長押し状態として、長押し検知部２０４が検知し、長押し状態を示す長押し状態情報を端末制御部２２０に出力する。また、カード挿抜検知部２０８がメモリカード３００の抜き出しを検知して、カード抜き出し情報を端末制御部２２０に出力する。【００７１】
これらの情報を受けて端末制御部２２０は、長押し状態情報が入力されている間に、抜き出し情報が入力される場合、ロック実行部２１８を介して、ロック対象設定部２１６により設定された端末の機能をロックする。【００７２】
図４は、端末機能のロック処理が行われる携帯端末２００を説明する概念図であり、図４Ａは、端末機能のロック処理において、端末機能がアンロック状態である携帯端末を示す概念図であり、図４Ｂは、端末機能がロック状態である携帯端末を示す概念図である。【００７３】
図４に示すように、アンロック状態の携帯端末２００において、特定ボタン２０２の長押し中にメモリカード３００を抜き出すと、携帯端末２００の機能はロックされる。ここで特定ボタンを押圧せずにメモリカード３００を抜き出した場合は、携帯端末２００の機能はロックされない。【００７４】
これにより、メモリカード３００が引き抜かれた携帯端末２００は、所定の機能がロックされる。【００７５】
図２に戻り、端末機能のロック処理における機能アンロック段階について説明する。【００７６】
端末機能のロック処理における機能アンロック段階では、ユーザは、特定ボタン２０２（図１参照）を長押し（ＵＳ５）しながら、メモリカード３００を携帯端末２００のスロット部２０６に挿入する（ＵＳ６）。【００７７】
すると、ステップＳ４では、携帯端末２００は、ボタン長押し状態でメモリカード３００の挿入を検知した場合、メモリカード３００のＩＤと自端末２００が記憶するＩＤとを比較して一致したら、ロックされている端末機能をアンロックする。【００７８】
このような機能アンロック段階の詳細は、ユーザにより特定ボタンが所定時間押圧されると、携帯端末２００では、所定時間（例えば１秒以上）の押圧状態を長押し状態として、長押し検知部２０４が検知し、長押し状態である情報を端末制御部２２０に出力する。  また、カード挿抜検知部２０８が、スロット部２０６へのメモリカード３００の挿入を検知して、端末制御部２２０にカード挿入情報を入力する。【００７９】
これら情報を受けて端末制御部２２０では、長押し状態情報が入力されている間に、カード挿入情報が入力される場合、ＩＤ読み書き部２１４を介して、メモリカード３００からＩＤが、携帯端末２００側のＩＤ比較部２２２に入力される。例えば、端末制御部２２０は、長押し中にメモリカード３００が挿入されたことを検知して、ＩＤ読み書き部２１４によりメモリカード３００のＩＤ記憶部のＩＤを読み取らせる。【００８０】
また、メモリカード３００がカード制御部３０８を有している場合、カード制御部３０８に、当該メモリカード３００が携帯端末２００に装着された際に、カード側ＩＤ記憶部３０４からＩＤを出力させれば、ＩＤ読み書き部２１４にＩＤが入力される。【００８１】
このように携帯端末２００のＩＤ比較部２２２において、携帯端末２００のＩＤ記憶部２１２のＩＤと、メモリカード３００から取得したＩＤとを比較して、両者が一致する場合、ロック実行部２１８によりロックされている端末機能を解錠、つまりアンロックする。【００８２】
図５は、端末機能のアンロック処理が行われる携帯端末２００を説明する概念図であり、図５Ａは、端末機能がロック状態である携帯端末を示す概念図、図５Ｂは、端末機能がアンロック状態である携帯端末を示す概念図である。【００８３】
図５Ａに示す携帯端末２００において特定ボタン長押し中にメモリカード３００を挿入すると、図５Ｂに示すように携帯端末２００の機能はアンロックされる。ここで特定ボタンを押圧せずにメモリカード３００を挿入した場合は、携帯端末２００の機能はアンロックされない。【００８４】
これにより、所定のメモリカード３００が挿入された携帯端末２００に対して、所定の機能をアンロックさせることができる。なお、携帯端末２００において比較した両者のＩＤが一致した場合、比較を行った後、ＩＤを削除するように構成してもよい。その後で、再度、端末機能のロックを行う場合には、携帯端末２００に装着されているメモリカード３００を一旦引き抜き、特定ボタン２０２を押しながら、再挿入する。この動作により、端末制御部２２０は、長押し検知部２０４及びカード挿抜検知部２０８を用いて、特定ボタン２０２の長押し中でのメモリカード３００の挿入を検知して、上述のＩＤ登録処理を行い、メモリカード３００との間で当該メモリカード３００を識別するＩＤを共有することができる。【００８５】
このように、本携帯端末システム１００によれば、メモリカード３００が着脱可能に装着される携帯端末２００において、特定ボタン２０２の長押し中にメモリカード３００を抜き出すだけで、ユーザの直感的な操作によって簡単に携帯端末２００の端末機能をロックすることができる。つまり、メモリカード３００が抜き出された携帯端末２００は、抜き出されたメモリカード３００が装着されない限り、所定の機能を使用することができない。【００８６】
＜メモリカードのロック＞
図６は、本発明の一実施の形態に係る携帯端末２００システムにおいて、メモリカード３００をロックする際の処理を説明するシーケンス図である。【００８７】
なお、このメモリカード３００のロック処理の説明にあたり、携帯端末２００に装着されるメモリカード３００は、ここでは、ＩＤを有していていないものとする。また、携帯端末２００に装着されるメモリカード３００は、カード制御部３０８を備えるメモリカード３００でもよいし、カード制御部３０８の無いメモリカード３００であってもよい。【００８８】
メモリカード３００のロック処理を行うにあたり、上述した端末機能のロック処理と同様に、まず、携帯端末２００と、当該携帯端末２００に装着されるメモリカード３００とに対して登録を行う。【００８９】
また、携帯端末２００のロック対象設定部２１６において、ロックする対象をメモリカード３００に設定する。ここで、メモリカード３００をロックするとは、メモリカード３００が読み取り装置に装着された際に、メモリカード３００を利用できない、つまり、メモリカード３００の通常メモリ部３０６への読み書きを行えないようにするものとする。【００９０】
○登録段階
図６に示すように、アンロック状態であり、まだメモリカード３００を装着していない携帯端末２００に対し、一旦、装着した後で抜き出したメモリカード３００をロックしたい場合、まず、ユーザは、特定ボタン２０２（図１参照）を長押し（ＵＳ１１）して、メモリカード３００を挿入する（ＵＳ１２）。【００９１】
するとステップＳ１０において、携帯端末２００は、ボタン長押しを検知した状態でカード挿入を検知してメモリカード３００にＩＤを登録する。このとき、携帯端末２００側においてもメモリカード３００に登録したＩＤと同じＩＤを記憶（登録）する。なお、このＩＤの登録は、メモリカード３００を装着する際の最初に行うのみであるため、特定ボタン２０２の長押しを用いることなく、携帯端末２００の図示しない表示画面から設定する構成としても良い。【００９２】
詳細には、ユーザにより特定ボタンが所定時間押圧されると、携帯端末２００では、長押し検知部２０４が、所定時間（例えば１秒以上）の押圧状態を長押し状態として検知し、長押し状態を示す長押し状態情報を端末制御部２２０に出力する。また、カード挿抜検知部２０８がメモリカード３００の挿入を検知して、カード挿入を示すカード挿入情報を端末制御部２２０に出力する。【００９３】
これら情報を受けて端末制御部２２０は、長押し状態情報が入力されている間に、カード挿入情報が入力される場合、ＩＤ読み書き部２１４を介して、スロット部２０６に挿入されたメモリカード３００のカード側ＩＤ記憶部３０４にＩＤを書き込む。つまり、ＩＤは携帯端末２００からメモリカード３００に出力されて、ステップＳ１１において、メモリカード３００は、入力されるＩＤをカード側ＩＤ記憶部３０４に記録することになる。なお、ＩＤをメモリカード３００に出力する際、端末制御部２２０は、携帯端末２００のＩＤ記憶部２１２に、メモリカード３００に書き込んだＩＤと同じ、当該メモリカード３００を識別するＩＤを記憶する。【００９４】
図７は、メモリカード３００のロック処理におけるＩＤ登録を説明する概念図である。【００９５】
図７に示すように、特定ボタン２０２長押し中に、ＩＤ無しのメモリカード３００が携帯端末２００のスロット部２０６に挿入された場合、携帯端末２００からメモリカード３００にＩＤが記憶される。【００９６】
この登録段階において、特定ボタンを押さずにメモリカード３００が携帯端末２００に装着されると、ＩＤは携帯端末２００やメモリカード３００に登録されない。【００９７】
これによりメモリカード３００のロック処理における登録段階は完了する。【００９８】
○ロック／アンロック段階
図６に戻り、メモリカード３００のロック処理（カードロック処理）におけるロック段階では、ユーザはメモリカード３００を携帯端末２００から抜き出す（ＵＳ１３）。【００９９】
すると、ステップＳ１２では、携帯端末２００は、カード抜き出しを検知した場合、携帯端末２００のメモリカード３００をロックする。【０１００】
詳細には、ユーザによりメモリカード３００がスロット部２０６から抜き出されると、カード挿抜検知部２０８がメモリカード３００の抜き出しを検知して端末制御部２２０にカード抜き出し情報を入力する。【０１０１】
この抜き出し情報が端末制御部２２０に入力される場合、端末制御部２２０は、ロック実行部２１８を介して、ロック対象設定部２１６により設定されたメモリカード３００のロックに対応するカードロック処理を行う。【０１０２】
ここで、カードロック処理としては、例えば、携帯端末２００に装着されるメモリカード３００におけるＩＣ機能の有無により２つの異なる処理を行う。【０１０３】
・第１カードロック処理（メモリカード３００がＩＣ機能付きメモリカード３００である場合）
ロック実行部２１８は、メモリカード３００のカード制御部３０８に対して、外部からメモリカード３００に入力されるＩＤが、メモリカード３００のカード側ＩＤ記憶部３０４に記憶したＩＤと同一で無い限り、メモリカード３００が反応しないようにする。【０１０４】
例えば、メモリカード３００が読み取り装置に接続された際に、アクセスしてきた接続対象に対して、ＩＤを要求し、ＩＤが入力された場合に、カード側ＩＤ比較部３１０で比較して、同一のＩＤ以外は反応しないようにカード制御部３０８に制御させるプログラムなどを出力する。この場合、メモリカード３００側においてＩＤを比較することになるため、ＩＣ機能が無いメモリカード３００、つまり、制御部が無いメモリカード３００と比較して情報などが第三者に不正に見られたりすること少なく、機密安全性の高いものとなる。【０１０５】
・第２カードロック処理（メモリカード３００にＩＣ機能が無い場合）
ロック実行部２１８は、携帯端末２００側において、装着されたメモリカード３００から、携帯端末２００のＩＤ記憶部２１２に記憶されたＩＤと同一のＩＤを読み込まない限り反応しない制御を行う。【０１０６】
具体的には、ロック実行部２１８は、メモリカード３００から読み込んだＩＤと端末で記憶されているＩＤとが同一である情報が端末制御部２２０から入力されない限り、端末ＩＦ部２１０の機能を停止するようにする。【０１０７】
図８は、メモリカード３００のロック処理においてロック段階を説明する概念図である。【０１０８】
図８に示すように、このメモリカード３００のロック処理におけるロック段階では、携帯端末２００に装着されたメモリカード３００を抜き出すだけでよい。【０１０９】
次に、図６に戻り、メモリカード３００のロック処理におけるアンロック段階について説明する。【０１１０】
メモリカード３００のロック処理におけるアンロック段階では、ユーザは、特定ボタン２０２を長押し（ＵＳ１４）しながら、メモリカード３００を携帯端末２００のスロット部２０６に挿入する（ＵＳ１５）。【０１１１】
すると、ステップＳ１４では、携帯端末２００が、ボタン長押し状態でメモリカード３００の挿入を検知した場合、メモリカード３００のＩＤと携帯端末のＩＤとを比較して一致したら、ロックされているメモリカード３００をアンロックする。【０１１２】
詳細には、ユーザにより特定ボタン２０２が所定時間押圧されると、携帯端末２００では、所定時間（例えば１秒以上）の押圧状態を長押し状態として、長押し検知部２０４が検知し、長押し状態情報を端末制御部２２０に出力する。また、カード挿抜検知部２０８がメモリカード３００の挿入を検知して端末制御部２２０にカード挿入情報を出力する。【０１１３】
この長押し中のカード挿入時において、挿入されるメモリカード３００にＩＣ機能が無い場合、端末制御部２２０では、携帯端末２００側のＩＤ比較部２２２にメモリカード３００からＩＤがＩＤ読み書き部２１４を介して入力される。例えば、端末制御部２２０は、長押し中にメモリカード３００が挿入されたことを検知して、ＩＤ読み書き部２１４によりメモリカード３００のＩＤ記憶部のＩＤを読み取り、ＩＤ比較部２２２において、ＩＤ記憶部２１２にて端末側で保持しているＩＤと比較する。【０１１４】
また、メモリカード３００がカード制御部３０８を有するＩＣ機能付きメモリカード３００である場合、カード制御部３０８は、装着された携帯端末２００に対してＩＤを要求し、端末側のＩＤ記憶部２１２からＩＤを出力させて、カード側ＩＤ比較部３１０にて比較する。【０１１５】
このように、端末側のＩＤ比較部２２２或いはカード側ＩＤ比較部３１０において、携帯端末２００のＩＤと、メモリカード３００のＩＤとを比較して、両者が一致する場合、ロック実行部２１８によってロックされている制御をアンロックすることによって、メモリカード３００をアンロック、つまり、携帯端末２００によりメモリカード３００を利用可能な状態にする。【０１１６】
図９は、メモリカード３００のロック処理においてアンロック段階を説明する概念図である。【０１１７】
特定ボタン２０２の長押し中にメモリカード３００を挿入すると、携帯端末２００及びメモリカード３００のＩＤを比較し、一致したらメモリカード３００はアンロックされる。ここで特定ボタンを押圧せずにメモリカード３００を挿入した場合は、メモリカード３００はアンロックされない。【０１１８】
これにより、所定のメモリカード３００が挿入された携帯端末２００に対して、特定ボタン２０２を長押しして、メモリカード３００を装着するだけで、メモリカードをアンロックさせることができる。なお、携帯端末２００またはメモリカード３００のいずれか一方のＩＤ比較部２２２，３１０において比較した両者のＩＤが一致した場合には、比較を行った後、ＩＤを削除するように構成してもよい。【０１１９】
このように、本携帯端末システム１００によれば、メモリカード３００が着脱可能に装着される携帯端末２００において、特定ボタン２０２の長押し中にメモリカード３００を抜き出すだけで、メモリカード３００をロックすることができる。つまり、メモリカード３００は、所定の携帯端末２００においてでのみ使用できるものとなる。【０１２０】
ここでは、メモリカード３００自体の機能、つまり、記憶媒体としての機能をロックするものとして説明したが、これに限らず、メモリカード３００の有する機能を部分的にロック、アンロックするようにしてもよい。【０１２１】
例えば、携帯端末２００に装着されるメモリカード３００が非接触型ＩＣ機能付きメモリカード３００である場合、メモリカード３００の特定機能をロックすることも可能である。【０１２２】
＜メモリカード機能のロック＞
図１０は、本発明の実施の形態に係る携帯端末システム１００を用いたメモリカード機能のロック、アンロックを説明する概念図であり、図１０Ａは、同携帯端末システム１００においてメモリカード機能のロック段階を説明する概念図、図１０Ｂは、同携帯端末システム１００においてメモリカード機能のアンロック段階を説明する概念図である。【０１２３】
図１０Ａ及び図１０Ｂで示す携帯端末システム１００では、携帯端末２００に装着されるメモリカードは非接触型ＩＣ機能付きメモリカード３００ａである。なお、非接触型ＩＣ機能付きメモリカード３００ａは、カード制御部３０８を有するメモリカード３００とほぼ同様の構成されるため説明は省略する。このメモリカード３００ａを携帯端末２００に対して着脱することによって、メモリカード３００ａのＩＣ機能部分が部分的にロック、アンロックされる。【０１２４】
まず、携帯端末２００は、非接触型ＩＣ機能付きメモリカード３００ａのＩＤ（例えば、ＰＩＮ（Personal Identification Number））を、メモリカード３００を識別するＩＤとしてＩＤ記憶部に記憶する。【０１２５】
このＩＤの記憶処理は、ＩＤを有するメモリカード３００が携帯端末２００に装着される場合の端末機能のロック処理におけるＩＤ登録段階と同様であるため、説明は省略する。【０１２６】
そして、図１０Ａに示すように、抜き出された非接触型ＩＣ機能付きメモリカード３００ａが、携帯端末２００に対して、そのまま装着される場合、携帯端末２００は、ＩＣ機能付きメモリカード３００ａを通常のメモリカード３００ａとして認識する。【０１２７】
一方、図１０Ｂでは、携帯端末２００の特定ボタンの長押し中に、スロット部２０６にＩＣ機能付きメモリカード３００ａを挿入している。【０１２８】
この場合、携帯端末２００は、挿入されたメモリカード３００をＩＣ機能付きメモリカード３００ａとして認識し、携帯端末２００は、ＩＣ機能のロック解除のためのＩＤ（例えば、ＰＩＮ）入力を促す画面を表示する。【０１２９】
ＰＩＮが入力されると、携帯端末２００は、ＰＩＮを非接触型ＩＣ機能付きメモリカード３００ａに出力し、カード制御部３０８のカード側ＩＤ比較部３１０は、ＰＩＮと、メモリカード３００ａ自体が有するＰＩＮとを比較する。一致する場合、カード制御部３０８は、携帯端末２００に対して、メモリカード３００ａにおいてロックされた機能を解除し、接続された携帯端末２００からのアクセスを可能とする。【０１３０】
なお、携帯端末２００においてＰＩＮが入力された場合、携帯端末２００側のＩＤ比較部２２２において、ＰＩＮと入力されたＰＩＮとを比較して、両者が一致するか否かの判定を行っても良い。この場合、両ＰＩＮが一致したら、ロック実行部２１８を介して、メモリカード３００のＩＣ機能のロックを解除するように構成される。【０１３１】
また、携帯端末２００は、メモリカード３００ａを、メモリカード又はＩＣ機能付きメモリカードと認識した際に、それぞれのカードに対応したアイコンを図示しない表示部に表示するようにしてもよい。【０１３２】
本実施の形態の装置によれば、メモリカードやＩＣ機能付きメモリカードを着脱自在に装着可能な携帯端末装置において、特定ボタンの長押しを行いながら、メモリカードを装着したり、取り外したりするだけで、携帯端末装置２００、メモリカード３００，３００ａにおける機能のうち、部分的な機能などをロックできる。このロックにより、携帯端末装置２００は特定のメモリカード３００，３００ａを装着したときのみ所定の機能を利用できるようにすることができる。また、メモリカード３００は特定の携帯端末２００に装着された場合のみ、その機能を利用できるようにすることができる。【０１３３】
よって、携帯端末２００に装着されたＩＣ機能付きメモリカード３００を含むメモリカード３００、非接触型ＩＣ機能付きメモリカード３００ａを装着または取り外した際に、ユーザの直感的な操作で自端末２００及びメモリカード３００，非接触型ＩＣ機能付きメモリカード３００ａの少なくとも一方の機能を簡単にロックすることができる。
【産業上の利用可能性】
【０１３４】
本発明に係る携帯端末システム、携帯端末装置及び機能ロック方法は、携帯端末装置に装着されたメモリカードやＩＣ機能付きメモリカードを取り外した際に、ユーザの直感的な操作で自装置及びメモリカードの少なくとも一方の機能を簡単にロックする効果を有し、ＩＣ機能付きのものも含むメモリカードが装着可能な携帯電話等に適用されるものとして有用である。
【図１】
2008038355.tif 000003
【図２】
2008038355.tif 000004
【図３Ａ】
2008038355.tif 000005
【図３Ｂ】
2008038355.tif 000006
【図４】
2008038355.tif 000007
【図５】
2008038355.tif 000008
【図６】
2008038355.tif 000009
【図７】
2008038355.tif 000010
【図８】
2008038355.tif 000011
【図９】
2008038355.tif 000012
【図１０Ａ】
2008038355.tif 000013
【図１０Ｂ】
2008038355.tif 000014
【手続補正書】
【提出日】平成20年9月12日(2008.9.12)
【手続補正１】
【補正対象書類名】特許請求の範囲
【補正対象項目名】全文
【補正方法】変更
【補正の内容】
【特許請求の範囲】
【請求項１】
メモリカードと、前記メモリカードが着脱自在に装着される携帯端末装置とを有する携帯端末システムにおいて、
前記携帯端末装置は、
ユーザにより押圧される押圧部と、
前記押圧部の長押し状態を検知する長押し検知手段と、
前記メモリカードが挿抜自在に装着されるカード装着手段と、
前記カード装着手段に対する前記メモリカードの挿抜を検知する挿抜検知手段と、
自装置及び前記メモリカードのうち少なくとも一方の機能をロックまたはアンロックするロック手段と、
前記長押し検知手段及び挿抜検知手段から検知情報が入力され、前記押圧部の長押し状態中に前記メモリカードが前記カード装着手段から挿抜される場合に、前記ロック手段を用いて前記少なくとも一方の機能をロックまたはアンロックさせる制御手段と、
を有する携帯端末システム。
【請求項２】
前記メモリカード及び前記携帯端末装置のそれぞれには、前記メモリカードを識別するＩＤを記憶するＩＤ記憶手段が設けられ、
前記メモリカード及び前記携帯端末装置の一方には、前記押圧部の長押し状態中に前記メモリカードが前記携帯端末装置の前記カード装着手段に挿入された際に前記メモリカード及び前記携帯端末装置の双方が保有するＩＤを比較するＩＤ比較手段が設けられ、
前記制御手段は、前記押圧部の長押し状態中に前記メモリカードが前記カード装着手段から抜き出される場合に、前記ロック手段を介して前記機能をロックし、
前記押圧部の長押し状態中に前記メモリカードが前記カード装着手段に挿入される場合で、且つ、前記ＩＤ比較手段で比較される両ＩＤが一致したときのみ前記ロック手段によりロックした前記機能をアンロックさせる請求項１記載の携帯端末システム。
【請求項３】
前記携帯端末装置は、前記ロック手段によりロックまたはアンロックの対象となる自装置及び前記メモリカードのうち少なくとも一方の機能を設定させるロック対象設定手段を有する請求項１記載の携帯端末システム。
【請求項４】
メモリカードが着脱自在に装着される携帯端末装置において、
ユーザにより押圧される押圧部と、
前記押圧部の長押し状態を検知する長押し検知手段と、
前記メモリカードが挿抜自在に装着されるカード装着手段と、
前記カード装着手段に対する前記メモリカードの挿抜を検知する挿抜検知手段と、
自装置及び前記メモリカードのうち少なくとも一方の機能をロックまたはアンロックするロック手段と、
前記長押し検知手段及び挿抜検知手段から検知情報が入力され、前記押圧部の長押し状態中に前記メモリカードが前記カード装着手段から挿抜される場合に、前記ロック手段を用いて前記少なくとも一方の機能をロックまたはアンロックさせる制御手段と、
を有する携帯端末装置。
【請求項５】
前記メモリカードは、当該メモリカードを識別するＩＤを有してなり、
前記メモリカードの有するＩＤが記憶されるＩＤ記憶手段と、
装着された前記メモリカードから前記ＩＤを読み出すＩＤ読み出し手段とを有し、
前記制御手段は、前記ＩＤ記憶手段に記憶されたＩＤと前記ＩＤ読み出し手段により読み出した前記メモリカードからのＩＤとを比較するＩＤ比較部を備え、
前記押圧部の長押し状態中に前記メモリカードが前記カード装着手段から抜き出される場合に前記ロック手段を介して前記機能をロックし、
前記押圧部の長押し状態中に前記メモリカードが前記カード装着手段に挿入される場合に前記ＩＤ比較部によりＩＤを比較して、両ＩＤが一致したときのみ前記ロック手段によりロックした前記機能をアンロックする請求項４記載の携帯端末装置。
【請求項６】
前記制御手段により制御され、前記メモリカードに前記ＩＤを書き込むＩＤ書込手段を有し、
前記メモリカードの有するＩＤは、前記押圧部の長押し状態中に前記メモリカードが前記カード装着手段に挿入された際に前記ＩＤ書込手段により書き込まれたものであり、
前記ＩＤ記憶手段には、前記制御手段によって前記ＩＤ書込手段を介して前記メモリカードに書き込んだＩＤと同一のＩＤが記憶される請求項５記載の携帯端末装置。
【請求項７】
前記ロック手段によってロックまたはアンロックの対象となる自装置及び前記メモリカードのうち少なくとも一方の機能を設定するロック対象設定手段を有する請求項１記載の携帯端末装置。
【請求項８】
メモリカードと、前記メモリカードが着脱自在に装着される携帯端末装置とを有する携帯端末システムにおけるロック方法であって、
前記携帯端末装置は、ユーザにより押圧される押圧部を有し、
前記押圧部の長押し状態を検知するとともに前記携帯端末装置に対する前記メモリカードの挿抜を検知するステップと、
前記押圧部の長押し状態中に前記メモリカードが前記携帯端末装置から挿抜される場合に、自装置及び前記メモリカードのうち少なくとも一方の機能をロックまたはアンロックするステップとを有する機能ロック方法。
【手続補正２】
【補正対象書類名】明細書
【補正対象項目名】全文
【補正方法】変更
【補正の内容】
【発明の詳細な説明】
【技術分野】
【０００１】
本発明は、ＩＣ機能付きメモリカードを含むメモリカードを装着可能な携帯端末装置を有する携帯端末システム、携帯端末装置及び機能ロック方法に関する。
【背景技術】
【０００２】
ＰＨＳ（Personal Handyphone System）や、ＧＳＭ（Global System for Mobile Communications）、ＩＭＴ−２０００（International Mobile Telecommunication 2000）、Ｗ−ＣＤＭＡ（Wideband Code Division Multiple Access）等を用いた携帯電話システムにおける携帯電話無線端末（「携帯端末」という）では、着脱可能なメモリカードを装着して、ユーザ情報や、無線回線を経由してダウンロードしたデータや、端末に搭載されたメモリに記憶するデータなどを記録できるものが知られている。また、携帯電話システムの携帯端末として、ＧＳＭのＳＩＭ（Subscriber Identity Module）や、ＩＭＴ−２０００やＷ−ＣＤＭＡのＵＩＭ（User Identity Module）等の機能を含むＩＣ機能付きメモリカードを着脱可能に装着するものが知られている。
【０００３】
これらメモリカードやＩＣ機能付きメモリカードが装着可能な携帯端末では、メモリカードやＩＣ機能付きメモリカードの取り外しについては特に制限がない。このため、メモリカードやＩＣ機能付きメモリカードが取り外された端末自体は、放置、紛失などによってユーザの手から離れた場合、不正利用される恐れがある。また、同様に、端末から取り外したメモリカードやＩＣ機能付きメモリカードも、放置、紛失などによってユーザの手から離れた場合、内部に記憶されている情報が別の読取装置等により不正に読み取られる恐れがある。
【０００４】
これらに対して携帯端末の機能をロックする、又はメモリカードの機能をロックする様々な対応が考えられている。
【０００５】
例えば、端末側の機能制限として、例えば、特許文献１では、外部装置の操作部を用いて、携帯電話機のダイヤルロックを行っている。また、特許文献２では、ＵＩＭカードを装着可能な携帯電話が開示され、ＵＩＭカードを携帯電話のソケットに挿入すると、携帯電話が使用可能（アンロック）となるように構成している。さらに、特許文献３には、無線端末に装着されるカード側をロックする技術が開示されている。特許文献３の無線端末では、ユーザがＩＣカード２の取り外しを要求する場合には、取外し認証処理部にてユーザの認証を行う。認証ＯＫとならない限り、ＩＣカードをロックし、その状態でＩＣカード２が無線端末１から取り外された場合、ＩＣカードにてＩＣカード制御部が、メモリ部に記憶されていた情報の内容を見ることができないようにしている。
【特許文献１】特許３０２２８３２号公報
【特許文献２】特許３５７６９７７号公報
【特許文献３】特開２００２−９９２１号公報
【発明の開示】
【発明が解決しようとする課題】
【０００６】
ところで、メモリカードやＩＣ機能付きメモリカードを装着可能な携帯端末において、メモリカードやＩＣ機能付きメモリカードを端末から取り外す際に、両者の少なくとも一方の機能を簡単な操作でロックしたいという要望がある。
【０００７】
これに対して、特許文献１の技術を用いて実現しようとしても、装着されるＩＣカードを外部装置として、ＩＣカード側に操作部としてのボタンを設ける必要があるため実現で
きない。
【０００８】
また、特許文献２では、ロック有無を携帯端末の設定画面等で設定するため、手間がかかり、さらに、特許文献３では、カードを抜く前に認証操作が発生するため、手間がかかるものとなっている。
【０００９】
本発明の目的は、携帯端末装置に装着されたメモリカードやＩＣ機能付きメモリカードを取り外した際に、ユーザの直感的な操作で自装置及びメモリカードの少なくとも一方の機能を簡単にロックする携帯端末システム、携帯端末装置及び機能ロック方法を提供することである。
【課題を解決するための手段】
【００１０】
本発明の携帯端末システムは、メモリカードと、前記メモリカードが着脱自在に装着される携帯端末装置とを有する携帯端末システムにおいて、前記携帯端末装置は、ユーザにより押圧される押圧部と、前記押圧部の長押し状態を検知する長押し検知手段と、前記メモリカードが挿抜自在に装着されるカード装着手段と、前記カード装着手段に対する前記メモリカードの挿抜を検知する挿抜検知手段と、自装置及び前記メモリカードのうち少なくとも一方の機能をロックまたはアンロックするロック手段と、前記長押し検知手段及び挿抜検知手段から検知情報が入力され、前記押圧部の長押し状態中に前記メモリカードが前記カード装着手段から挿抜される場合に、前記ロック手段を用いて前記少なくとも一方の機能をロックまたはアンロックさせる制御手段とを有する構成を採る。
【００１１】
この構成によれば、押圧部の長押し状態中に、メモリカードが挿抜される際に、自装置及びメモリカードの少なくとも一方の機能をロックまたはアンロックさせるため、ユーザは、押圧部を長押ししながらメモリカードを挿抜するといった直感的な操作で、簡単に自装置及びメモリカードの少なくとも一方の機能をロックしたりアンロックしたりすることができる。
【発明の効果】
【００１２】
以上説明したように、本発明によれば、携帯端末装置に装着されたメモリカードやＩＣ機能付きメモリカードを取り外した際に、ユーザの直感的な操作で自装置及びメモリカードの少なくとも一方の機能を簡単にロックすることができる。
【発明を実施するための最良の形態】
【００１３】
以下、本発明の実施の形態について、図面を参照して詳細に説明する。
【００１４】
図１は、本発明の一実施の形態に係る携帯端末システム１００の構成を示すブロック図である。
【００１５】
携帯端末システム１００は、本発明の携帯端末２００と、携帯端末２００に装着可能なメモリカード３００とを有する。
【００１６】
携帯端末２００は携帯電話機等であり、特定ボタン等の押圧部２０２と、長押し検知部２０４と、スロット部２０６と、カード挿抜検知部２０８と、端末ＩＦ部２１０と、ＩＤ記憶部２１２と、ＩＤ読み書き部２１４と、ロック対象設定部２１６と、ロック実行部２１８と、端末制御部２２０とを有する。
【００１７】
押圧部２０２は、ユーザにより押圧可能に携帯端末２００の本体部２００ａ（図３参照）に取り付けられた特定ボタンなどによって構成され、例えば、携帯端末２００の各種機能を操作する図示しないキー入力部の一部として配置されてもよい。押圧部２０２によりユーザは、短い時間押圧する「短押し」操作や所定時間（例えば１秒間）以上押圧する「長押し」操作を行うことができる。
【００１８】
なお、押圧部２０２は、一つのボタンで構成してもよいし、複数のボタンで構成してもよい。本実施の形態では図３に示すように、押圧部２０２を一つの特定ボタンとして説明している。押圧部を複数のボタンで構成する場合、同時に複数のボタンを長押しすることによって、端末制御部は、ＩＤの登録、ロックアンロックを行うように構成することが考えられる。
【００１９】
長押し検知部２０４は、タイマを有しており、タイマを用いて、押圧部２０２（例えば、特定ボタン）が所定時間（例えば、１秒間）押圧された際に押圧部２０２が長押し状態であることを検知して、その信号を端末制御部２２０に出力する。
【００２０】
スロット部（カード装着部）２０６は、携帯端末２００の本体部２００ａ（図３参照）に設けられ、メモリカード３００が着脱自在に挿入される。スロット部２０６にメモリカード３００が挿入されることにより、端末ＩＦ部２１０とカードＩＦ部３０２とが接続されて、携帯端末２００にメモリカード３００が装着された状態となる。
【００２１】
カード挿抜検知部２０８は、スロット部２０６に挿入されるメモリカード３００の挿抜状態を検知し、端末制御部２２０に出力する。
【００２２】
端末ＩＦ（Inter Face）部２１０は、スロット部２０６に装着されたメモリカード３００のカードＩＦ部３０２に接続され、これにより携帯端末２００はメモリカード３００との間で情報の読み書きを行うことができる。
【００２３】
ＩＤ記憶部２１２は、スロット部２０６を介して携帯端末２００に装着されるメモリカード３００を識別するＩＤを記憶するものであり、記憶するＩＤは、端末制御部２２０によって読み書きされる。なお、このＩＤ記憶部２１２には、メモリカードがＩＤを予め保有していない場合に、端末制御部２２０から読み出されてＩＤ読み書き部２１４を介してメモリカード３００に書き込まれるＩＤが保存されていてもよい。
【００２４】
ＩＤ読み書き部２１４は、端末制御部２２０からの指示によって、カードＩＦ部３０２に接続される端末ＩＦ部２１０を介して、メモリカード３００のカード側ＩＤ記憶部３０４に対して、ＩＤの書き込み及びＩＤの読み出しを行う。このＩＤ読み書き部２１４と端末制御部２２０の処理により携帯端末２００及びメモリカード３００は、メモリカード３００を識別するＩＤを保有することとなる。
【００２５】
なお、ＩＤ読み書き部２１４によりメモリカード３００に書き込まれるＩＤは、端末制御部２２０を介して、ＩＤ記憶部２１２からＩＤを読み出して、メモリカード３００のカード側ＩＤ記憶部３０４に書き込んだりしてもよい。
【００２６】
ロック対象設定部２１６は、携帯端末２００からメモリカード３００を抜き出した場合に、携帯端末２００及びメモリカード３００のうち少なくとも一方に対してロックする機能を設定し、端末制御部２２０に出力する。ロック対象となる機能としては、携帯端末２００のダイヤル、電源、着信通話、メモリカード間の情報の読み書き処理、その他機能や、メモリカード自体の記憶機能等が挙げられる。ロック対象設定部２１６は、例えば、ロックする各機能を図示しない携帯端末２００の表示部に表示して、キー入力部を介して表示部上からユーザに選択させて端末制御部２２０に制御させる構成を有してもよい。このロック対象設定部２１６によって、ユーザにロック対象となる携帯端末２００、メモリカード３００の機能を選択させることができ、任意の機能をロックさせることができる。
【００２７】
また、携帯端末２００に装着されるメモリカード３００に代えてＩＣ機能付きメモリカードである場合、ＩＣ機能付きメモリカード内の部分的な機能（例えば、セキュアエリアへの読み書きなど）をロックする。
【００２８】
ロック実行部２１８は、端末制御部２２０からの指示またはメモリカード３００からの要求により、携帯端末２００自体の機能、メモリカードにおける記憶に関する全体及び部分的な機能等に対するロック処理及びアンロック処理を行う。なお、このロック実行部２１８によりロック、アンロックされる機能は、ここでは、ロック対象設定部２１６により設定された機能である。
【００２９】
具体的には、携帯端末２００に装着されるメモリカード３００がＩＣ機能を有しない場合、ロック実行部２１８は、端末制御部２２０からロック対象設定部２１６により設定された対象機能をロック、アンロックする指示が入力される。
【００３０】
端末制御部２２０は、ＣＰＵ、ＲＡＭ、ＲＯＭ等を有して、長押し検知部２０４、カード挿抜検知部２０８、ＩＤ記憶部２１２、ＩＤ読み書き部２１４、ロック対象設定部２１６、ロック実行部２１８に接続され、これら各部を制御する。なお、端末制御部２２０は、各ソフトウェア処理により携帯電話などの無線端末としての動作を実現すべく各部を総括制御するものでもよい。
【００３１】
端末制御部２２０は、ロック対象設定部２１６により設定されたロック対象機能が入力される。
【００３２】
また、端末制御部２２０は、押圧部（以下、「特定ボタン」という）２０２の長押し中に、スロット部２０６にメモリカード３００が挿入された場合、挿入されたメモリカード３００とＩＤを共有する。
【００３３】
ＩＤの共有は、挿入されるメモリカード３００がカード自体を識別するＩＤを有しているか否かで、端末制御部２２０の処理は異なる。
【００３４】
端末制御部２２０は、長押し検知部２０４から入力される長押し情報と、カード挿抜検知部２０８から入力されるカード挿抜情報により、特定ボタンが長押し状態で、且つ、カード挿入状態である場合、ＩＤ読み書き部２１４を介して、メモリカード３００からＩＤが読み取れたか否かを判定する。
【００３５】
端末制御部２２０は、特定ボタン２０２の長押し中にスロット部２０６にメモリカード３００が挿入されている際に、メモリカード３００からＩＤを読み取れなかった場合、ＩＤ読み書き部２１４によりカード側ＩＤ記憶部３０４にＩＤを書き込む。これにより、メモリカード３００のカード側ＩＤ記憶部３０４にＩＤが記憶され、メモリカード３００にＩＤが登録される。なお、メモリカード３００のカード側ＩＤ記憶部３０４に記憶されたＩＤは、ＩＤ記憶部２１２内のＩＤに関連付けられる。
【００３６】
また、端末制御部２２０は、特定ボタン２０２の長押し中にスロット部２０６にメモリカードが挿入された際にＩＤ読み書き部２１４を介してメモリカード３００からＩＤを読み取った場合、読み取ったＩＤをＩＤ記憶部２１２に記憶する。これにより、携帯端末２００は、ＩＤ記憶部２１２にメモリカード３００を識別するＩＤとして登録する。
【００３７】
なお、端末制御部２２０は、長押し検知部２０４から入力される長押し情報と、カード挿抜検知部２０８から入力されるカード挿抜情報により、特定ボタン２０２を押さずにカード３００が挿入された場合、メモリカード３００とＩＤの共有は行なわない。
【００３８】
また、端末制御部２２０は、特定ボタン２０２の長押し中に、スロット部２０６からメモリカード３００が抜き出される場合、ロック対象設定部２１６で設定された対象機能に対して、ロック実行部２１８を介してロック、アンロック処理を行う。
【００３９】
詳細には、端末制御部２２０は、長押し検知部２０４から入力される長押し情報と、カード挿抜検知部２０８から入力されるカード挿抜情報により、特定ボタンが長押し状態で、且つ、スロット部２０６からメモリカード３００が抜き出される場合、ロック実行部２１８を介して、ロック対象設定部２１６で設定された機能をロックする。
【００４０】
ロック対象設定部２１６でロック対象として設定された機能が携帯端末側の機能である場合、端末制御部２２０は、ロック実行部２１８を介して、携帯端末２００において対応する機能を実行する構成要素の機能を停止させる。
【００４１】
この端末制御部２２０は、長押し検知部２０４から入力される長押し情報と、カード挿抜検知部２０８から入力されるカード挿抜情報により、特定ボタン２０２が長押し状態で、且つ、スロット部２０６からメモリカードが挿入された場合、メモリカード３００からのＩＤとＩＤ記憶部２１２のＩＤとを比較するＩＤ比較部２２２を有する。
【００４２】
ＩＤ比較部２２２によって比較されるＩＤが一致する場合、端末制御部２２０は、ロック実行部２１８を介してロックされている機能をアンロックする。
【００４３】
一方、このように構成される携帯端末２００に装着されるメモリカード３００は、ＩＣ機能付きメモリカードであり、カードＩＦ部３０２と、カード側ＩＤ記憶部３０４と、通常メモリ部３０６と、カード制御部３０８とを有する。
【００４４】
カードＩＦ（Inter Face）部３０２は、メモリカード自体がスロット部２０６に装着された場合に、端末ＩＦ部２１０に接続され、端末ＩＦ部２１０とともに、携帯端末２００とメモリカード３００間のデータのやりとりを可能にする。
【００４５】
カード側ＩＤ記憶部３０４は、メモリカード３００を識別するＩＤを記憶するものであり、予め保有していたり、また、装着される携帯端末２００により書き込まれたりすることによりＩＤを記憶する。これによりメモリカード３００にメモリカード自体を識別するＩＤが登録された状態となる。
【００４６】
通常メモリ部３０６は、携帯端末２００にメモリカード３００が装着された際に、携帯端末２００の動作によって、ユーザ情報や、無線回線を経由してダウンロードしたデータや、端末に搭載されたメモリに記憶するデータなどを記録する。
【００４７】
カード制御部３０８は、カードＩＦ部３０２、カード側ＩＤ記憶部３０４及び通常メモリ部３０６に接続され、これらを制御する。
【００４８】
カード制御部３０８は、ここでは、カード側ＩＤ記憶部３０４に記憶されたＩＤと、装着された携帯端末２００から入力されるＩＤとを比較するカード側ＩＤ比較部３１０を有する。
【００４９】
カード側ＩＤ比較部３１０は、入力されるＩＤとカード側ＩＤ記憶部３０４により記憶されるＩＤとが一致する場合、カードＩＦ部３０２を介して、装着される携帯端末２００に対する通常メモリ部３０６のロック及びアンロックを行う。また、メモリカード３００にセキュアエリアなどを有する場合等、メモリカード３００において部分的に機能をロックする場合、カード側ＩＤ比較部３１０は、メモリカード３００の機能を部分的にロックして、装着される装置からの読み出しや書き込みを禁止する。
【００５０】
なお、メモリカード３００は、ＩＣ機能付きメモリカードとしたが、ＩＣ機能の無いメモリカード、つまり、カード制御部３０８を具備せず、カードＩＦ部３０２、カード側ＩＤ記憶部３０４及び通常メモリ部３０６を有するメモリカードとしてもよい。
【００５１】
次いで、上記構成を有する携帯端末システム１００の動作について説明する。
携帯端末システム１００では、携帯端末２００における特定ボタン２０２の長押し中にメモリカード３００を抜き差しすることによって、長押し中以外の状態でメモリカード３００を抜き差しする場合と比較して、携帯端末２００及びメモリカード３００の少なくとも一方で有する機能の切換を行う。
【００５２】
具体的には、携帯端末システム１００では、特定ボタン２０２の長押し中においてメモリカード３００を抜き差しすることによって、携帯端末の機能のロック、メモリカードのロック、メモリカード機能のロックを行う。
【００５３】
＜端末機能のロック＞
図２は、本発明の一実施の形態に係る携帯端末システム１００において、携帯端末２００の機能をロックする際の処理を説明するシーケンス図である。
【００５４】
なお、この端末機能のロック処理の説明にあたり、携帯端末２００に装着されるメモリカード３００は、予めＩＤを有していてもよいし、無くてもよい。また、メモリカード３００は、カード制御部を備えるメモリカードでもよいし、カード制御部の無いメモリカードであってもよい。
【００５５】
端末機能ロック処理を行うにあたり、まず、携帯端末２００と、当該携帯端末２００に装着されるメモリカード３００とに対して登録を行う。また、携帯端末２００のロック対象設定部２１６において、ロックする端末機能（例えば、電源、キーなど）を設定する。
【００５６】
○登録段階
図２に示すように、アンロック状態で且つメモリカード未装着の携帯端末２００に対し、一旦、装着したメモリカード３００を抜き出した際に携帯端末２００の端末機能をロックしたい場合、ユーザは、特定ボタンを長押しして（ＵＳ１）、メモリカード３００を挿入する（ＵＳ２）。
【００５７】
するとステップＳ１において、携帯端末２００は、ボタン長押しを検知した状態でカード挿入を検知してメモリカード３００にＩＤを出力する。
【００５８】
このとき、携帯端末２００側において、端末制御部２２０は、メモリカード３００に登録したＩＤと同じＩＤを記憶（登録）する。なお、このＩＤの登録は、メモリカード３００を装着する際の最初に行うのみであるため、特定ボタンの長押しを用いることなく、携帯端末２００の図示しない表示画面から設定する構成としても良い。
【００５９】
この登録段階における携帯端末システム１００の処理について詳細に説明する。
【００６０】
ユーザにより特定ボタンが所定時間押圧されると、携帯端末２００では、長押し検知部２０４が、所定時間（例えば１秒以上）の押圧状態を長押し状態として検知し、長押し状態を示す長押し状態情報を端末制御部２２０に出力する。また、カード挿抜検知部２０８がスロット部２０６へのメモリカード３００の挿入を検知して端末制御部２２０に、カード挿入を示すカード挿入情報を出力する。
【００６１】
ステップＳ１では、入力される情報を用いて、端末制御部２２０は、長押し状態情報が入力されている間に、カード挿入情報が入力される場合、ＩＤ読み書き部２１４を介して、メモリカード３００のカード側ＩＤ記憶部３０４にＩＤを書き込む。つまり、ＩＤは携帯端末２００からメモリカード３００に出力されて、ステップＳ２において、メモリカード３００は、入力されるＩＤをカード側ＩＤ記憶部３０４に記録することになる。なお、ＩＤをメモリカード３００に出力する際、端末制御部２２０は、携帯端末２００のＩＤ記憶部２１２に、メモリカード３００のカード側ＩＤ記憶部３０４に書き込んだＩＤと同じ、当該メモリカード３００を識別するＩＤを記憶する。
【００６２】
図３は、端末機能のロック処理におけるＩＤ登録を説明する図であり、図３Ａは、携帯端末２００に装着されるメモリカード３００が予め当該メモリカード３００を識別するＩＤを有する場合を説明する図、図３Ｂは、同メモリカード３００がＩＤを有していない場合を説明するための図である。
【００６３】
図３Ａで示すように、特定ボタン長押し中に、ＩＤ付きのメモリカード３００が携帯端末２００のスロット部２０６に挿入された場合、携帯端末２００では、メモリカード３００挿入でメモリカード３００の保有するＩＤが携帯端末２００に記憶される。
【００６４】
また、図３Ｂに示すように、特定ボタン長押し中に、ＩＤ無しのメモリカード３００が携帯端末２００のスロット部２０６に挿入された場合、携帯端末２００からＩＤメモリカード３００にＩＤが記憶される。
【００６５】
この登録段階において、特定ボタン２０２を押さずにメモリカード３００が携帯端末２００に装着されると、ＩＤは携帯端末２００やメモリカード３００に登録されない。
【００６６】
これにより携帯端末２００における端末機能のロック処理における登録段階は完了する。
【００６７】
○ロック／アンロック段階
図２に戻り、端末機能のロック処理におけるロック段階では、ユーザは特定ボタン２０２（図１及び図３参照）を長押し（ＵＳ３）しながら、メモリカード３００を携帯端末２００から抜き出す（ＵＳ４）。
【００６８】
すると、ステップＳ３では、携帯端末２００は、特定ボタン長押しを検知した状態でメモリカード３００の抜き出しを検知した場合、携帯端末２００の端末機能をロックする。
【００６９】
詳細には、ユーザにより特定ボタン２０２が所定時間押圧されると、携帯端末２００では、所定時間（例えば１秒以上）の押圧状態を長押し状態として、長押し検知部２０４が検知し、長押し状態を示す長押し状態情報を端末制御部２２０に出力する。また、カード挿抜検知部２０８がメモリカード３００の抜き出しを検知して、カード抜き出し情報を端末制御部２２０に出力する。
【００７０】
これらの情報を受けて端末制御部２２０は、長押し状態情報が入力されている間に、抜き出し情報が入力される場合、ロック実行部２１８を介して、ロック対象設定部２１６により設定された端末の機能をロックする。
【００７１】
図４は、端末機能のロック処理が行われる携帯端末２００を説明する概念図であり、図４Ａは、端末機能のロック処理において、端末機能がアンロック状態である携帯端末を示す概念図であり、図４Ｂは、端末機能がロック状態である携帯端末を示す概念図である。
【００７２】
図４に示すように、アンロック状態の携帯端末２００において、特定ボタン２０２の長押し中にメモリカード３００を抜き出すと、携帯端末２００の機能はロックされる。ここで特定ボタンを押圧せずにメモリカード３００を抜き出した場合は、携帯端末２００の機能はロックされない。
【００７３】
これにより、メモリカード３００が引き抜かれた携帯端末２００は、所定の機能がロックされる。
【００７４】
図２に戻り、端末機能のロック処理における機能アンロック段階について説明する。
【００７５】
端末機能のロック処理における機能アンロック段階では、ユーザは、特定ボタン２０２（図１参照）を長押し（ＵＳ５）しながら、メモリカード３００を携帯端末２００のスロット部２０６に挿入する（ＵＳ６）。
【００７６】
すると、ステップＳ４では、携帯端末２００は、ボタン長押し状態でメモリカード３００の挿入を検知した場合、メモリカード３００のＩＤと自端末２００が記憶するＩＤとを比較して一致したら、ロックされている端末機能をアンロックする。
【００７７】
このような機能アンロック段階の詳細は、ユーザにより特定ボタンが所定時間押圧されると、携帯端末２００では、所定時間（例えば１秒以上）の押圧状態を長押し状態として、長押し検知部２０４が検知し、長押し状態である情報を端末制御部２２０に出力する。
また、カード挿抜検知部２０８が、スロット部２０６へのメモリカード３００の挿入を検知して、端末制御部２２０にカード挿入情報を入力する。
【００７８】
これら情報を受けて端末制御部２２０では、長押し状態情報が入力されている間に、カード挿入情報が入力される場合、ＩＤ読み書き部２１４を介して、メモリカード３００からＩＤが、携帯端末２００側のＩＤ比較部２２２に入力される。例えば、端末制御部２２
０は、長押し中にメモリカード３００が挿入されたことを検知して、ＩＤ読み書き部２１４によりメモリカード３００のＩＤ記憶部のＩＤを読み取らせる。
【００７９】
また、メモリカード３００がカード制御部３０８を有している場合、カード制御部３０８に、当該メモリカード３００が携帯端末２００に装着された際に、カード側ＩＤ記憶部３０４からＩＤを出力させれば、ＩＤ読み書き部２１４にＩＤが入力される。
【００８０】
このように携帯端末２００のＩＤ比較部２２２において、携帯端末２００のＩＤ記憶部２１２のＩＤと、メモリカード３００から取得したＩＤとを比較して、両者が一致する場合、ロック実行部２１８によりロックされている端末機能を解錠、つまりアンロックする。
【００８１】
図５は、端末機能のアンロック処理が行われる携帯端末２００を説明する概念図であり、図５Ａは、端末機能がロック状態である携帯端末を示す概念図、図５Ｂは、端末機能がアンロック状態である携帯端末を示す概念図である。
【００８２】
図５Ａに示す携帯端末２００において特定ボタン長押し中にメモリカード３００を挿入すると、図５Ｂに示すように携帯端末２００の機能はアンロックされる。ここで特定ボタンを押圧せずにメモリカード３００を挿入した場合は、携帯端末２００の機能はアンロックされない。
【００８３】
これにより、所定のメモリカード３００が挿入された携帯端末２００に対して、所定の機能をアンロックさせることができる。なお、携帯端末２００において比較した両者のＩＤが一致した場合、比較を行った後、ＩＤを削除するように構成してもよい。その後で、再度、端末機能のロックを行う場合には、携帯端末２００に装着されているメモリカード３００を一旦引き抜き、特定ボタン２０２を押しながら、再挿入する。この動作により、端末制御部２２０は、長押し検知部２０４及びカード挿抜検知部２０８を用いて、特定ボタン２０２の長押し中でのメモリカード３００の挿入を検知して、上述のＩＤ登録処理を行い、メモリカード３００との間で当該メモリカード３００を識別するＩＤを共有することができる。
【００８４】
このように、本携帯端末システム１００によれば、メモリカード３００が着脱可能に装着される携帯端末２００において、特定ボタン２０２の長押し中にメモリカード３００を抜き出すだけで、ユーザの直感的な操作によって簡単に携帯端末２００の端末機能をロックすることができる。つまり、メモリカード３００が抜き出された携帯端末２００は、抜き出されたメモリカード３００が装着されない限り、所定の機能を使用することができない。
【００８５】
＜メモリカードのロック＞
図６は、本発明の一実施の形態に係る携帯端末２００システムにおいて、メモリカード３００をロックする際の処理を説明するシーケンス図である。
【００８６】
なお、このメモリカード３００のロック処理の説明にあたり、携帯端末２００に装着されるメモリカード３００は、ここでは、ＩＤを有していていないものとする。また、携帯端末２００に装着されるメモリカード３００は、カード制御部３０８を備えるメモリカード３００でもよいし、カード制御部３０８の無いメモリカード３００であってもよい。
【００８７】
メモリカード３００のロック処理を行うにあたり、上述した端末機能のロック処理と同様に、まず、携帯端末２００と、当該携帯端末２００に装着されるメモリカード３００とに対して登録を行う。
【００８８】
また、携帯端末２００のロック対象設定部２１６において、ロックする対象をメモリカード３００に設定する。ここで、メモリカード３００をロックするとは、メモリカード３００が読み取り装置に装着された際に、メモリカード３００を利用できない、つまり、メモリカード３００の通常メモリ部３０６への読み書きを行えないようにするものとする。
【００８９】
○登録段階
図６に示すように、アンロック状態であり、まだメモリカード３００を装着していない携帯端末２００に対し、一旦、装着した後で抜き出したメモリカード３００をロックしたい場合、まず、ユーザは、特定ボタン２０２（図１参照）を長押し（ＵＳ１１）して、メモリカード３００を挿入する（ＵＳ１２）。
【００９０】
するとステップＳ１０において、携帯端末２００は、ボタン長押しを検知した状態でカード挿入を検知してメモリカード３００にＩＤを登録する。このとき、携帯端末２００側においてもメモリカード３００に登録したＩＤと同じＩＤを記憶（登録）する。なお、このＩＤの登録は、メモリカード３００を装着する際の最初に行うのみであるため、特定ボタン２０２の長押しを用いることなく、携帯端末２００の図示しない表示画面から設定する構成としても良い。
【００９１】
詳細には、ユーザにより特定ボタンが所定時間押圧されると、携帯端末２００では、長押し検知部２０４が、所定時間（例えば１秒以上）の押圧状態を長押し状態として検知し、長押し状態を示す長押し状態情報を端末制御部２２０に出力する。また、カード挿抜検知部２０８がメモリカード３００の挿入を検知して、カード挿入を示すカード挿入情報を端末制御部２２０に出力する。
【００９２】
これら情報を受けて端末制御部２２０は、長押し状態情報が入力されている間に、カード挿入情報が入力される場合、ＩＤ読み書き部２１４を介して、スロット部２０６に挿入されたメモリカード３００のカード側ＩＤ記憶部３０４にＩＤを書き込む。つまり、ＩＤは携帯端末２００からメモリカード３００に出力されて、ステップＳ１１において、メモリカード３００は、入力されるＩＤをカード側ＩＤ記憶部３０４に記録することになる。なお、ＩＤをメモリカード３００に出力する際、端末制御部２２０は、携帯端末２００のＩＤ記憶部２１２に、メモリカード３００に書き込んだＩＤと同じ、当該メモリカード３００を識別するＩＤを記憶する。
【００９３】
図７は、メモリカード３００のロック処理におけるＩＤ登録を説明する概念図である。
【００９４】
図７に示すように、特定ボタン２０２長押し中に、ＩＤ無しのメモリカード３００が携帯端末２００のスロット部２０６に挿入された場合、携帯端末２００からメモリカード３００にＩＤが記憶される。
【００９５】
この登録段階において、特定ボタンを押さずにメモリカード３００が携帯端末２００に装着されると、ＩＤは携帯端末２００やメモリカード３００に登録されない。
【００９６】
これによりメモリカード３００のロック処理における登録段階は完了する。
【００９７】
○ロック／アンロック段階
図６に戻り、メモリカード３００のロック処理（カードロック処理）におけるロック段階では、ユーザはメモリカード３００を携帯端末２００から抜き出す（ＵＳ１３）。
【００９８】
すると、ステップＳ１２では、携帯端末２００は、カード抜き出しを検知した場合、携
帯端末２００のメモリカード３００をロックする。
【００９９】
詳細には、ユーザによりメモリカード３００がスロット部２０６から抜き出されると、カード挿抜検知部２０８がメモリカード３００の抜き出しを検知して端末制御部２２０にカード抜き出し情報を入力する。
【０１００】
この抜き出し情報が端末制御部２２０に入力される場合、端末制御部２２０は、ロック実行部２１８を介して、ロック対象設定部２１６により設定されたメモリカード３００のロックに対応するカードロック処理を行う。
【０１０１】
ここで、カードロック処理としては、例えば、携帯端末２００に装着されるメモリカード３００におけるＩＣ機能の有無により２つの異なる処理を行う。
【０１０２】
・第１カードロック処理（メモリカード３００がＩＣ機能付きメモリカード３００である場合）
ロック実行部２１８は、メモリカード３００のカード制御部３０８に対して、外部からメモリカード３００に入力されるＩＤが、メモリカード３００のカード側ＩＤ記憶部３０４に記憶したＩＤと同一で無い限り、メモリカード３００が反応しないようにする。
【０１０３】
例えば、メモリカード３００が読み取り装置に接続された際に、アクセスしてきた接続対象に対して、ＩＤを要求し、ＩＤが入力された場合に、カード側ＩＤ比較部３１０で比較して、同一のＩＤ以外は反応しないようにカード制御部３０８に制御させるプログラムなどを出力する。この場合、メモリカード３００側においてＩＤを比較することになるため、ＩＣ機能が無いメモリカード３００、つまり、制御部が無いメモリカード３００と比較して情報などが第三者に不正に見られたりすること少なく、機密安全性の高いものとなる。
【０１０４】
・第２カードロック処理（メモリカード３００にＩＣ機能が無い場合）
ロック実行部２１８は、携帯端末２００側において、装着されたメモリカード３００から、携帯端末２００のＩＤ記憶部２１２に記憶されたＩＤと同一のＩＤを読み込まない限り反応しない制御を行う。
【０１０５】
具体的には、ロック実行部２１８は、メモリカード３００から読み込んだＩＤと端末で記憶されているＩＤとが同一である情報が端末制御部２２０から入力されない限り、端末ＩＦ部２１０の機能を停止するようにする。
【０１０６】
図８は、メモリカード３００のロック処理においてロック段階を説明する概念図である。
【０１０７】
図８に示すように、このメモリカード３００のロック処理におけるロック段階では、携帯端末２００に装着されたメモリカード３００を抜き出すだけでよい。
【０１０８】
次に、図６に戻り、メモリカード３００のロック処理におけるアンロック段階について説明する。
【０１０９】
メモリカード３００のロック処理におけるアンロック段階では、ユーザは、特定ボタン２０２を長押し（ＵＳ１４）しながら、メモリカード３００を携帯端末２００のスロット部２０６に挿入する（ＵＳ１５）。
【０１１０】
すると、ステップＳ１４では、携帯端末２００が、ボタン長押し状態でメモリカード３
００の挿入を検知した場合、メモリカード３００のＩＤと携帯端末のＩＤとを比較して一致したら、ロックされているメモリカード３００をアンロックする。
【０１１１】
詳細には、ユーザにより特定ボタン２０２が所定時間押圧されると、携帯端末２００では、所定時間（例えば１秒以上）の押圧状態を長押し状態として、長押し検知部２０４が検知し、長押し状態情報を端末制御部２２０に出力する。また、カード挿抜検知部２０８がメモリカード３００の挿入を検知して端末制御部２２０にカード挿入情報を出力する。
【０１１２】
この長押し中のカード挿入時において、挿入されるメモリカード３００にＩＣ機能が無い場合、端末制御部２２０では、携帯端末２００側のＩＤ比較部２２２にメモリカード３００からＩＤがＩＤ読み書き部２１４を介して入力される。例えば、端末制御部２２０は、長押し中にメモリカード３００が挿入されたことを検知して、ＩＤ読み書き部２１４によりメモリカード３００のＩＤ記憶部のＩＤを読み取り、ＩＤ比較部２２２において、ＩＤ記憶部２１２にて端末側で保持しているＩＤと比較する。
【０１１３】
また、メモリカード３００がカード制御部３０８を有するＩＣ機能付きメモリカード３００である場合、カード制御部３０８は、装着された携帯端末２００に対してＩＤを要求し、端末側のＩＤ記憶部２１２からＩＤを出力させて、カード側ＩＤ比較部３１０にて比較する。
【０１１４】
このように、端末側のＩＤ比較部２２２或いはカード側ＩＤ比較部３１０において、携帯端末２００のＩＤと、メモリカード３００のＩＤとを比較して、両者が一致する場合、ロック実行部２１８によってロックされている制御をアンロックすることによって、メモリカード３００をアンロック、つまり、携帯端末２００によりメモリカード３００を利用可能な状態にする。
【０１１５】
図９は、メモリカード３００のロック処理においてアンロック段階を説明する概念図である。
【０１１６】
特定ボタン２０２の長押し中にメモリカード３００を挿入すると、携帯端末２００及びメモリカード３００のＩＤを比較し、一致したらメモリカード３００はアンロックされる。ここで特定ボタンを押圧せずにメモリカード３００を挿入した場合は、メモリカード３００はアンロックされない。
【０１１７】
これにより、所定のメモリカード３００が挿入された携帯端末２００に対して、特定ボタン２０２を長押しして、メモリカード３００を装着するだけで、メモリカードをアンロックさせることができる。なお、携帯端末２００またはメモリカード３００のいずれか一方のＩＤ比較部２２２，３１０において比較した両者のＩＤが一致した場合には、比較を行った後、ＩＤを削除するように構成してもよい。
【０１１８】
このように、本携帯端末システム１００によれば、メモリカード３００が着脱可能に装着される携帯端末２００において、特定ボタン２０２の長押し中にメモリカード３００を抜き出すだけで、メモリカード３００をロックすることができる。つまり、メモリカード３００は、所定の携帯端末２００においてでのみ使用できるものとなる。
【０１１９】
ここでは、メモリカード３００自体の機能、つまり、記憶媒体としての機能をロックするものとして説明したが、これに限らず、メモリカード３００の有する機能を部分的にロック、アンロックするようにしてもよい。
【０１２０】
例えば、携帯端末２００に装着されるメモリカード３００が非接触型ＩＣ機能付きメモリカード３００である場合、メモリカード３００の特定機能をロックすることも可能である。
【０１２１】
＜メモリカード機能のロック＞
図１０は、本発明の実施の形態に係る携帯端末システム１００を用いたメモリカード機能のロック、アンロックを説明する概念図であり、図１０Ａは、同携帯端末システム１００においてメモリカード機能のロック段階を説明する概念図、図１０Ｂは、同携帯端末システム１００においてメモリカード機能のアンロック段階を説明する概念図である。
【０１２２】
図１０Ａ及び図１０Ｂで示す携帯端末システム１００では、携帯端末２００に装着されるメモリカードは非接触型ＩＣ機能付きメモリカード３００ａである。なお、非接触型ＩＣ機能付きメモリカード３００ａは、カード制御部３０８を有するメモリカード３００とほぼ同様の構成されるため説明は省略する。このメモリカード３００ａを携帯端末２００に対して着脱することによって、メモリカード３００ａのＩＣ機能部分が部分的にロック、アンロックされる。
【０１２３】
まず、携帯端末２００は、非接触型ＩＣ機能付きメモリカード３００ａのＩＤ（例えば、ＰＩＮ（Personal Identification Number））を、メモリカード３００を識別するＩＤとしてＩＤ記憶部に記憶する。
【０１２４】
このＩＤの記憶処理は、ＩＤを有するメモリカード３００が携帯端末２００に装着される場合の端末機能のロック処理におけるＩＤ登録段階と同様であるため、説明は省略する。
【０１２５】
そして、図１０Ａに示すように、抜き出された非接触型ＩＣ機能付きメモリカード３００ａが、携帯端末２００に対して、そのまま装着される場合、携帯端末２００は、ＩＣ機能付きメモリカード３００ａを通常のメモリカード３００ａとして認識する。
【０１２６】
一方、図１０Ｂでは、携帯端末２００の特定ボタンの長押し中に、スロット部２０６にＩＣ機能付きメモリカード３００ａを挿入している。
【０１２７】
この場合、携帯端末２００は、挿入されたメモリカード３００をＩＣ機能付きメモリカード３００ａとして認識し、携帯端末２００は、ＩＣ機能のロック解除のためのＩＤ（例えば、ＰＩＮ）入力を促す画面を表示する。
【０１２８】
ＰＩＮが入力されると、携帯端末２００は、ＰＩＮを非接触型ＩＣ機能付きメモリカード３００ａに出力し、カード制御部３０８のカード側ＩＤ比較部３１０は、ＰＩＮと、メモリカード３００ａ自体が有するＰＩＮとを比較する。一致する場合、カード制御部３０８は、携帯端末２００に対して、メモリカード３００ａにおいてロックされた機能を解除し、接続された携帯端末２００からのアクセスを可能とする。
【０１２９】
なお、携帯端末２００においてＰＩＮが入力された場合、携帯端末２００側のＩＤ比較部２２２において、ＰＩＮと入力されたＰＩＮとを比較して、両者が一致するか否かの判定を行っても良い。この場合、両ＰＩＮが一致したら、ロック実行部２１８を介して、メモリカード３００のＩＣ機能のロックを解除するように構成される。
【０１３０】
また、携帯端末２００は、メモリカード３００ａを、メモリカード又はＩＣ機能付きメモリカードと認識した際に、それぞれのカードに対応したアイコンを図示しない表示部に表示するようにしてもよい。
【０１３１】
本実施の形態の装置によれば、メモリカードやＩＣ機能付きメモリカードを着脱自在に装着可能な携帯端末装置において、特定ボタンの長押しを行いながら、メモリカードを装着したり、取り外したりするだけで、携帯端末装置２００、メモリカード３００，３００ａにおける機能のうち、部分的な機能などをロックできる。このロックにより、携帯端末装置２００は特定のメモリカード３００，３００ａを装着したときのみ所定の機能を利用できるようにすることができる。また、メモリカード３００は特定の携帯端末２００に装着された場合のみ、その機能を利用できるようにすることができる。
【０１３２】
よって、携帯端末２００に装着されたＩＣ機能付きメモリカード３００を含むメモリカード３００、非接触型ＩＣ機能付きメモリカード３００ａを装着または取り外した際に、ユーザの直感的な操作で自端末２００及びメモリカード３００，非接触型ＩＣ機能付きメモリカード３００ａの少なくとも一方の機能を簡単にロックすることができる。
【産業上の利用可能性】
【０１３３】
本発明に係る携帯端末システム、携帯端末装置及び機能ロック方法は、携帯端末装置に装着されたメモリカードやＩＣ機能付きメモリカードを取り外した際に、ユーザの直感的な操作で自装置及びメモリカードの少なくとも一方の機能を簡単にロックする効果を有し、ＩＣ機能付きのものも含むメモリカードが装着可能な携帯電話等に適用されるものとして有用である。
【図面の簡単な説明】
【０１３４】
【図１】本発明の一実施の形態に係る携帯端末システムの構成を示すブロック図
【図２】本発明の一実施の形態に係る携帯端末システムにおいて、携帯端末の機能をロックする際の処理を説明するシーケンス図
【図３Ａ】端末機能のロック処理におけるＩＤ登録を説明する図であり、携帯端末に装着されるメモリカードが予め当該メモリカードを識別するＩＤを有する場合の概念図
【図３Ｂ】端末機能のロック処理におけるＩＤ登録を説明する図であり、携帯端末に装着されるメモリカードがＩＤを有していない場合の概念図
【図４】端末機能のロック処理が行われる携帯端末を説明する概念図
【図５】端末機能のアンロック処理が行われる携帯端末を説明する概念図
【図６】本発明の一実施の形態に係る携帯端末システムにおいて、メモリカードをロックする際の処理を説明するシーケンス図
【図７】メモリカードのロック処理におけるＩＤ登録を説明する概念図
【図８】メモリカードのロック処理においてロック段階を説明する概念図
【図９】メモリカードのロック処理においてアンロック段階を説明する概念図
【図１０Ａ】本発明の実施の形態に係る携帯端末システムにおいてメモリカード機能のロック段階を説明する概念図
【図１０Ｂ】本発明の実施の形態に係る携帯端末システムにおいてメモリカード機能のアンロック段階を説明する概念図
【手続補正３】
【補正対象書類名】図面
【補正対象項目名】全図
【補正方法】変更
【補正の内容】
【図１】
2008038355.tif 000015
【図２】
2008038355.tif 000016
【図３Ａ】
2008038355.tif 000017
【図３Ｂ】
2008038355.tif 000018
【図４】
2008038355.tif 000019
【図５】
2008038355.tif 000020
【図６】
2008038355.tif 000021
【図７】
2008038355.tif 000022
【図８】
2008038355.tif 000023
【図９】
2008038355.tif 000024
【図１０Ａ】
2008038355.tif 000025
【図１０Ｂ】
2008038355.tif 000026
【国際調査報告】
2008038355.tif 000027
2008038355.tif 000028
2008038355.tif 000029
2008038355.tif 000030